(57)【要約】  【課題】  識別ラベルを貼着せずに仕様等の異なる装置の識別を可能にした装置の識別装置及び方法を提供する。  【解決手段】  外観形状をほぼ同一にして、互いに仕様等が異なる複数の搭載部品である電子部品５、６を選択的に搭載する装置における選択された搭載部品の仕様等を外観上識別するための装置の識別装置であって、装置の筐体１の外面に、仕様等毎に異なる特徴表示をそれぞれ表示する複数の識別手段８を設け、これら複数の識別手段８のうち、選択された搭載部品の以外の搭載部品の仕様等の特徴表示を表示する前記識別手段８を、外観上覆い隠すように装置の筐体１の部品取り付け部３ｃに電子部品５、６を取り付けることにより、選択された電子部品５、６の仕様等を装置の筐体１の外観から識別可能に構成した。【選択図】  図１
2005260156.tif 000002
【特許請求の範囲】
【請求項１】
外観形状をほぼ同一にして、互いに仕様等が異なる複数の搭載部品を選択的に搭載する装置における前記選択された搭載部品の仕様等を外観上識別するための装置の識別装置であって、前記装置の筐体の外面に、前記仕様等毎に異なる特徴表示をそれぞれ表示する複数の識別手段を設け、これら複数の識別手段のうち、選択された搭載部品の以外の搭載部品の仕様等の特徴表示を表示する前記識別手段を、外観上覆い隠すように前記装置の筐体の部品取り付け部に前記搭載部品を取り付けることにより、前記選択された搭載部品の仕様等を前記装置の筐体の外観から識別可能に構成したことを特徴とする装置の識別装置。
【請求項２】
前記識別手段を、前記装置の仕様等により形状や大きさの異なる前記搭載部品により選択的に覆い隠せる位置に形成したことを特徴とする請求項１に記載の装置の識別装置。
【請求項３】
前記装置は電子機器であって、前記識別手段に表示する仕様等の特徴表示は、複数種類の電源電圧であることを特徴とする請求項１または２に記載の装置の識別装置。
【請求項４】
前記電子機器は、車両に搭載する車載用電子機器であることを特徴とする請求項３に記載の装置の識別方法。
【請求項５】
前記識別手段に表示する前記仕様等の特徴表示は、前記装置の筐体を成形する際に形成された刻印であることを特徴とする請求項１乃至４のいずれか一に記載の装置の識別装置。
【請求項６】
外観形状をほぼ同一にして、互いに仕様等が異なる複数の搭載部品を選択的に搭載する装置における前記選択された搭載部品の仕様等を外観上識別するための装置の識別方法であって、前記装置の筐体の外面に、前記仕様等毎に異なる特徴表示をそれぞれ異なる部位における識別手段に表示し、これら複数の識別手段のうち、選択された搭載部品の以外の搭載部品の仕様等の特徴表示を表示する前記識別手段を、前記装置の筐体の部品取り付け部に取り付けられる搭載部品によって覆い隠すことにより、前記選択された搭載部品の仕様等を前記装置外観から識別可能にしたことを特徴とする装置の識別方法。
【発明の詳細な説明】
【技術分野】
【０００１】
本発明は、外観形状をほぼ同一にして、互いに仕様等が異なる複数の搭載部品を選択的に搭載する装置における前記選択された搭載部品の仕様等を外観上識別するための電子機器等の装置の識別装置及び識別方法に関する。
【背景技術】
【０００２】
従来電子機器等の装置には、外観形状がほぼ同一なのに、仕様、例えば電源電圧等が異なることがある。
【０００３】
図６は従来の電子機器を示すもので、金属板により成形された筺体ａ内にプリント基板や電子部品等の機能部品（図示せず）が多数収容されている。
【０００４】
また車載用電子機器では、搭載する車両によって電源電圧が１２Ｖのものと２４Ｖのものがあるが、電子機器の電源部以外はほとんど共通化されているため、外観形状だけでは使用する電源電圧が１２Ｖ仕様なのか２４Ｖ仕様なのかの識別は困難である。
【０００５】
このため従来では電子機器の製造段階で電子機器が１２Ｖ仕様または２４Ｖ仕様であることを表示する識別ラベル等の識別手段ｂを筺体ａの見やすい位置、例えば筺体ａの上面等に貼着している。
【０００６】
これによって完成した装置を検査する際、誤った電圧を装置へ印加することがないため、検査の段階で装置が破損するのを防止することや、不良品が市場に出荷されるのを未然に防止している。
【発明の開示】
【発明が解決しようとする課題】
【０００７】
しかし前記従来の装置のように、識別ラベルのような識別手段ｂを筐体ａに貼着するようにしたものでは、予め識別手段ｂを別に製作しなければならないため部品コストが嵩むと共に、車載用電子機器のように量産される装置の場合、筐体ａに識別手段ｂを貼着するのに多くの工数を必要とするため、作業コストも上がる等の問題がある。
【０００８】
また識別手段ｂは、装置の製造段階で人為的に筐体ａに貼着することになるが、仕様等が異なっても装置の外観形状がほぼ同一なことから、仕様等の異なる装置の筐体ａに識別手段ｂを誤って貼着する等の人為的なミスが発生しやすい上、筐体ａに貼着した識別手段ｂは剥離して脱落する等の問題がある。
【０００９】
本発明はかかる従来の問題を改善するためになされたもので、識別ラベルを貼着せずに仕様等の異なる装置の識別を可能にした装置の識別方法及び識別装置を提供することを目的とするものである。
【課題を解決するための手段】
【００１０】
本発明の装置の識別装置は、外観形状をほぼ同一にして、互いに仕様等が異なる複数の搭載部品を選択的に搭載する装置における選択された搭載部品の仕様等を外観上識別するための装置の識別装置であって、装置の筐体の外面に、仕様等毎に異なる特徴表示をそれぞれ表示する複数の識別手段を設け、これら複数の識別手段のうち、選択された搭載部品の以外の搭載部品の仕様等の特徴表示を表示する前記識別手段を、外観上覆い隠すように装置の筐体の部品取り付け部に搭載部品を取り付けることにより、選択された搭載部品の仕様等を装置の筐体の外観から識別可能に構成したものである。
【００１１】
本発明により、外観形状がほぼ同一で、かつ仕様等が異なる装置であっても、予め装置の筐体に複数種類の搭載部品の仕様等をそれぞれ異なる識別手段に表示しておき、選択された搭載部品以外の識別手段を搭載部品により隠すことによって、選択された特定仕様等の特徴表示を顕在化することができ、仕様等を誤って識別することがないと共に、仕様等に応じた複数種の識別ラベルを予め製作する必要がないため、部品コストの削減が図れる。
【００１２】
また仕様等の異なる装置に、仕様等を表示する識別ラベルを仕分けして貼着する作業が不要となるため、作業コストの削減が図れる上、識別ラベルのように剥離して脱落する心配もない。
【００１３】
本発明は、識別手段を、装置の仕様等により形状や大きさの異なる搭載部品により選択的に覆い隠せる位置に形成したものである。
【００１４】
本発明により、部品取り付け部に装置の仕様等に応じた電子部品を取り付けることにより、仕様等を表示する識別手段のみが部品取り付け部に表示されるため、外観形状がほぼ同一で、かつ仕様等が異なる装置であっても、仕様等を誤って識別することがない。
【００１５】
本発明にかかる識別装置を採用する装置は、電子機器であって、識別手段に表示する仕様等の特徴表示が複数種類の電源電圧であることを特徴とするとしたものである。
【００１６】
本発明により、装置を検査する際、識別手段により装置の動作電圧が確実に識別できるため、人為的なミスにより装置を破損することがない上、検査ミスにより不良品が市場へ流通するのを未然に防止することができる。
【００１７】
本発明は、識別する電子機器を車両に搭載する車載用電子機器としたものである。
【００１８】
本発明により、１２Ｖ仕様の車載用電子機器を２４Ｖ仕様の車両に誤って装着したり、２４Ｖ仕様の車載用電子機器を１２Ｖ仕様の車両に誤って装着する等の人為的ミスを未然に防止することができる。
【００１９】
本発明における識別手段に表示する前記仕様等の特徴表示は、装置の筐体を成形する際に形成された刻印であることを特徴とするものである。
【００２０】
前記構成により、識別手段が容易かつ安価に形成できる。
【００２１】
本発明の識別方法は、外観形状をほぼ同一にして、互いに仕様等が異なる複数の搭載部品を選択的に搭載する装置における選択された搭載部品の仕様等を外観上識別するための装置の識別方法であって、装置の筐体の外面に、仕様等毎に異なる特徴表示をそれぞれ異なる部位における識別手段に表示し、これら複数の識別手段のうち、選択された搭載部品の以外の搭載部品の仕様等の特徴表示を表示する識別手段を、装置の筐体の部品取り付け部に取り付けられる搭載部品によって覆い隠すことにより、選択された搭載部品の仕様等を前記装置外観から識別可能にしたものである。
【００２２】
前記構成により、部品取り付け部に装置の仕様等に応じた搭載部品を取り付けることにより、選択された搭載部品の仕様等の特徴表示が表示された識別手段のみ顕在化するため、外観形状がほぼ同一で、かつ仕様等が異なる装置であっても、仕様等を誤って識別することがない。
【００２３】
また仕様等の異なる装置に、仕様等を表示する識別ラベルを仕分けして貼着する作業が不要となるため、作業コストの削減が図れる上、識別ラベルのように剥離して脱落する心配もない。
【発明の効果】
【００２４】
本発明の装置の識別方法によれば、外観形状がほぼ同一で、かつ仕様等が異なる装置であっても、仕様等を誤って識別することがない上、仕様等に応じた複数種の識別ラベルを予め製作することや、装置に貼着する作業が不要となるため、部品コスト及び作業コストの削減が図れると共に、識別ラベルのように剥離して脱落する心配もない。
【発明を実施するための最良の形態】
【００２５】
本発明を車載用電子機器のような装置に実施した実施の形態について、図面を参照して詳述する。
【００２６】
図１は電源電圧が例えば２４Ｖ仕様の装置の分解斜視図、図２は電源電圧が例えば１２Ｖ仕様の装置の分解斜視図、図３は両仕様共通の筐体の裏面図、図４及び図５は作用説明図である。
【００２７】
図１及び図２に示す仕様等が異なる装置の筐体１は共通化されていて、外観形状はほぼ同一となっている。
【００２８】
金属板を形成することにより形成された筐体１は、両側板２ａと底板２ｂが一体成形された断面がほぼコ字形の下部ケース２と、後面板３ａと部品取り付け板３ｂが一体に成形された断面がほぼＬ字形の中間ケース３と、上面板４ａよりなる平板状の上部ケース４とからなり、筐体１の前面開口部には、図示しない前面パネルが取り付けられている。
【００２９】
下部ケース２の両側板２ａには、装置を車両等に取り付ける際使用する複数の取り付け孔２ｃが穿設されており、両側板２ａ及び底板２ｂの後端は、内側へほぼ直角に折り曲げられて後縁部２ｄ，２ｅが形成されていると共に、両側板２ａの後縁部２ｄには中間ケース３の後面板３ａを固定する取り付け孔２ｆが穿設されている。
【００３０】
下部ケース２の底板２ｂには、隅角部を内側へ切り起こすことにより、複数の取り付け座２ｇが形成されていて、これら取り付け座２ｇに、中間ケース３の部品取り付け板３ｂをビス等の固着具（図示せず）により取り付けるねじ孔２ｈが穿設されている。
【００３１】
中間ケース３の後面板３ａには、中央部に内側へ凹入する長方形状の部品取り付け部３ｃが形成され、その両側にコネクタ９を露出させることや、ハーネス（図示せず）を引き出すための開口部３ｄや通気孔３ｅが形成されており、後面板３ａの両端部には、内側へほぼ直角に折り曲げることにより後縁部３ｆが形成されていて、これら後縁部３ｆの外側面が下部ケース２の両側板２ａに内側より当接するようになっており、後縁部３ｆの上端に形成されたフック状の係止爪３ｇが両側板２ａの後縁部２ｄ上端に形成されたほぼＶ字形の切り欠き２ｉに係合するようになっている。
【００３２】
後面板３ａの部品取り付け部３ｃには、搭載部品として、パワーＩＣ等からなる電子部品５とトランジスタ等からなる電子部品６をビス等の固着具７により取り付けるための取り付け孔３ｊ，３ｋが穿設されている。
【００３３】
パワーＩＣ等からなる電子部品５は、１２Ｖ仕様の装置と、２４Ｖ仕様の装置にいずれにも取り付けられるが、２４Ｖ仕様の装置に使用する電子部品５は横長形状となっていて、両端部に取り付け孔５ａを有していることから、これら取り付け孔５ａと合致するよう部品取り付け部３ｃに左右方向に離間して一対の取り付け孔３ｊが穿設されている。
【００３４】
また１２Ｖ仕様の装置に使用する電子部品５は、縦長形状となっていて上部の１個所に取り付け孔５ｂを有していることから、この取り付け孔５ｂと合致する位置にも取り付け孔３ｊが穿設置されていると共に、部品取り付け部３ｃに２４Ｖ仕様の装置に取り付ける電子部品５を取り付けた際には外部から見え、１２Ｖ仕様の装置に取り付ける電子部品５を取り付けた際には、電子部品５より覆い隠される位置に、例えば「２４Ｖ」のような電源電圧を表示する識別手段８が刻印されている。
【００３５】
２４Ｖ仕様の装置のみに取り付けられる電子部品６は、上部に取付け孔６ａを有していることから、この取り付け孔６ａと合致するよう部品取り付け部３ｃに取り付け孔３ｋが穿設されており、この取り付け孔３ｋの近傍には、取り付け孔３ｋに電子部品６を取り付けた際、電子部品６により覆い隠される位置に、例えば「１２Ｖ」のような電源電圧を表示する識別手段８が刻印されており、これら識別手段８は、中間ケース３をプレスにより成形する際刻印されている。
【００３６】
上部ケース４は、上面板４ａの前縁を除く各縁部を内側へほぼ直角に折り曲げることにより、両側縁部４ｂと後縁部４ｃが形成されていて、両側縁部４ｂが下部ケース２の両側板２ａに形成された凹段部２ｊに外側より嵌合するようになっており、両側縁部４ｂに切り起こし形成された舌片部４ｄには、凹段部２ｊに穿設された取り付け孔２ｋより挿入したビス等の固着具（図示せず）を螺挿するねじ孔４ｅが穿設されている。
【００３７】
上部ケース４の後縁部４ｃにも、舌片部４ｆが切り起こし形成されていて、これら舌片部４ｆと後縁部４ｃの間で後面板３ａの上端縁を挟着することにより、後面板３ａの上縁に上面板４ａの後端が接続できるようになっており、上面板４ａの後端側には複数の通気孔４ｇが幅方向に等間隔に形成されている。
【００３８】
次に前記構成された装置の識別装置の作用を説明する。
【００３９】
前述したように電源電圧が１２Ｖ仕様の装置と２４Ｖ仕様の装置は、筺体１が共通化されているため、組み立てられた状態の筺体１の外観からは１２Ｖ仕様なのか、２４Ｖ仕様なのかの識別は難しいが、２４Ｖ仕様の場合中間ケース３の後面板３ａに設けられた部品取り付け部３ｃに、パワーＩＣからなる電子部品５とトランジスタからなる電子部品６が固着具７により取り付けられるようになっている。
【００４０】
パワーＩＣからなる電子部品５は横長のため、後面板３ａの部品取り付け部３ｃに取り付けた場合、予め刻印された２４Ｖの識別手段８が図４に示すように電子部品５の上方に露出する。
【００４１】
またトランジスタからなる電子部品６を部品取り付け部３ｃに取り付けると、部品取り付け位置に刻印された１２Ｖの識別手段８は、電子部品６により覆い隠されるため、２４Ｖ仕様の装置の場合、図４に示すように２４Ｖの識別手段８のみが後面板３ａの部品取り付け部３ｃに表示されるようになる。
【００４２】
これによって装置が２４Ｖ仕様であることを後面板３ａに刻印された識別手段８を見ることにより識別できるため、検査等の際電源電圧を誤って印加する等の人為的ミスを未然に防止することができると共に、識別手段７は筺体１を成形する際に予め形成することができるため、識別ラベルを貼着する等の後作業が不要となる上、識別手段７が剥離して脱落する等の心配も一切ない。
【００４３】
一方電源電圧が１２Ｖ仕様の装置の場合、後面板３ａの部品取り付け部３ｃに１２Ｖ用のパワーＩＣからなる電子部品５を取り付けるが、１２Ｖ用の電子部品５は縦長のため、後面板３ａの部品取り付け部３ｃに取り付けた場合、図５に示すように２４Ｖの識別手段８が電子部品５により覆い隠されて外部より見えなくなる。
【００４４】
また１２Ｖ仕様の装置の場合、トランジスタよりなる電子部品６は部品取り付け部３ｃに取り付けないため、部品取り付け部３ｃに刻印された１２Ｖの識別手段８のみが図５に示すように後面板３ａの部品取り付け部３ｃに表示される。
【００４５】
これによって装置が１２Ｖ仕様であることを後面板３ａに刻印された識別手段８を見ることにより識別できるため、検査の際電源電圧を誤って印加する際の人為的ミスを未然に防止できるようになる。
【００４６】
なお前記実施の形態では、装置が車載用電子機器の場合について説明したが、外観形状がほぼ同一で、かつ仕様が異なる装置全般に適用できるものである。
【００４７】
このような場合識別手段８により表示する内容は電源電圧に限定されるものではなく、他の仕様等の特徴的な点を符号化することや、図形等で表示するようにしてもよい。
【産業上の利用可能性】
【００４８】
本発明の装置の識別方法は、仕様等に応じた複数種の識別ラベルを予め製作することや、装置に貼着する作業が不要となるため、部品コスト及び作業コストの削減が図れる上、識別ラベルのように剥離して脱落する心配もないため、外観形状がほぼ同一で、かつ仕様等が異なる装置を識別するための識別装置又は方法に好適である。
【図面の簡単な説明】
【００４９】
【図１】本発明の実施の形態を採用した電子機器の分解斜視図である。
【図２】本発明の実施の形態を採用した電子機器の分解斜視図である。
【図３】本発明の実施の形態を採用した電子機器の後面図である。
【図４】本発明の実施の形態になる装置の識別方法を示す説明図である。
【図５】本発明の実施の形態になる装置の識別方法を示す説明図である。
【図６】従来の装置の識別方法を示す説明図である。
【符号の説明】
【００５０】
１      装置の筐体
３ｃ    部品取り付け部
５，６  電子部品(搭載部品)
８      識別手段
【図１】
2005260156.tif 000003
【図２】
2005260156.tif 000004
【図３】
2005260156.tif 000005
【図４】
2005260156.tif 000006
【図５】
2005260156.tif 000007
【図６】
2005260156.tif 000008